(57)【特許請求の範囲】
【請求項１】
損失材料からなる１つ以上の六角錐体を具え、
前記六角錐体の底面を形成する六角形は、少なくとも１組の対向する辺ａ同士が平行且つ同じ長さであり、当該辺ａの長さｘと、該辺ａに隣接する辺ｂの一方の端点から他方の端点までの辺ａに沿う長さＬと、がｘ≦Ｌ≦２．０ｘの関係を満たすことを特徴とする電波吸収体。
【請求項２】
前記六角錐体の底面の形状が凸六角形である、請求項１に記載の電波吸収体。
【請求項３】
３つ以上の前記六角錐体を２列以上に配置してなる、請求項１又は２に記載の電波吸収体。
【請求項４】
前記六角錐体の高さが列相互に異なる、請求項３に記載の電波吸収体。
【請求項５】
前記六角錐体の底面に、該底面と同一形状の底面を有する損失材料からなる六角柱体を連結してなる、１つ以上の複合体を具える、請求項１〜４のいずれか一項に記載の電波吸収体。
【請求項６】
３つ以上の前記複合体を２列以上に配置してなる、請求項５に記載の電波吸収体。
【請求項７】
前記複合体の六角柱状体の高さが列ごとに異なる、請求項６に記載の電波吸収体。
【発明の詳細な説明】
【技術分野】
【０００１】
本発明は、電波吸収体、特に斜入射波に対して優れた吸収性能を有する電波吸収体に関する。
【背景技術】
【０００２】
近年、日常の身近なところに、電子機器及び通信機器、並びに情報システム等の多くの電磁波発生源が存在し、様々な電磁波が放射されている。従って、機器から発生する電磁波により、複数の機器同士が互いに影響し合う可能性がある。このような環境下で多種多様な機器を共存させるためには、機器同士が互いに影響し合わないようにする、所謂ＥＭＣ（Electro-Magnetic Compatibility）対策が求められている。【０００３】
機器におけるＥＭＣの評価は、電波暗室と呼ばれる測定用の部屋で行われる。電波暗室の外壁は、外来電磁波の暗室内への侵入や、暗室内の測定装置から発生する電磁波の外部への放出を防止するために金属板で覆われている。また、不要な電磁波の反射を防止するため、暗室内の壁面には損失材料からなる電波吸収体が設けられている。【０００４】
この電波吸収体としては、四角錐形状に成形した損失材料を複数配置したもの（図１参照）や、ウエッジ（くさび）形状に成形した損失材料を複数配置したもの（図２参照）が用いられてきた。しかしながら、このような形状の電波吸収体では、錐体又はウエッジの先端から底面に向かって入射される垂直入射波に対する吸収性能は良好である一方で、錐体又はウエッジの側面に入射される斜入射波に対する吸収性能が、垂直入射波に対する同性能に劣ることが問題であった。【０００５】
そこで、特許文献１には、三角柱形状の誘電損失材料からなる基台と、該基台の上面（三角柱を構成する５つの面のうち、対向する２面を除いた任意の２面）に敷き詰められた、四角錐形状の誘電損失材料からなる電波導入部と、を具える電波吸収体が提案されている。この電波吸収体では、高さの等しい四角錐体を三角柱体の斜面（基台の上面）に配置し、電波吸収体全体をウエッジ形状とすることによって、電波の散乱効果を高め、もって斜入射波に対する吸収性能を向上させることを所期している。
【先行技術文献】
【特許文献】
【０００６】
【特許文献１】特開平８−２７４４９０号公報
【発明の概要】
【発明が解決しようとする課題】
【０００７】
しかしながら、斜入射波に対する吸収性能に関しては、未だ改善の余地が残されていた。すなわち、上記のごとく電波吸収体全体をウエッジ形状とすることで電波の散乱効果を高めたとしても、四角錐形状である電波導入部の側面では、所期したほどの吸収性能が得られないことが分かった。【０００８】
近年、より小型かつ高性能の電波暗室が求められており、斜入射波に対する吸収性能により優れた電波吸収体が希求されている。従って、本発明は、斜入射波に対し、より優れた吸収性能を有する電波吸収体を提供することを目的とする。
【課題を解決するための手段】
【０００９】
発明者らは、上記の課題の解決手段につき鋭意究明したところ、電波吸収体の側面においても電波の吸収を高めるには、該側面におけるインピーダンスを緩やかに変化させることが肝要であり、そのために、電波吸収体を六角錐体にすることが最も効果的であることを新規に知見し、本発明を完成させるに至った。【００１０】
本発明の要旨は、以下のとおりである。
（１）本発明の電波吸収体は、損失材料からなる１つ以上の六角錐体を具え、六角錐体の底面を形成する六角形は、少なくとも１組の対向する辺ａ同士が平行且つ同じ長さであり、当該辺ａの長さｘと、該辺ａに隣接する辺ｂの一方の端点から他方の端点までの辺ａに沿う長さＬと、がｘ≦Ｌ≦２．０ｘの関係を満たすことを特徴とする。
かかる構成の本発明の電波吸収体は、斜入射波に対して優れた吸収性能を有する。
【００１１】
（２）本発明の電波吸収体は、前記六角錐体の底面の形状が凸六角形であることが好ましい。【００１２】
（３）本発明の電波吸収体は、３つ以上の前記六角錐体を２列以上に配置してなることが好ましい。【００１３】
（４）本発明の電波吸収体は、前記六角錐体の高さが列相互に異なることが好ましい。【００１４】
（５）本発明の電波吸収体は、前記六角錐体の底面に、該底面と同一形状の底面を有する、損失材料からなる六角柱体を連結してなる１つ以上の複合体を具えることが好ましい。【００１５】
（６）本発明の電波吸収体は、３つ以上の前記複合体を２列以上に配置してなることが好ましい。【００１６】
（７）本発明の電波吸収体は、前記複合体の六角柱体の高さが列ごとに異なることが好ましい。
【発明の効果】
【００１８】
本発明により、斜入射波に対して優れた吸収性能を有する電波吸収体を提供することができる。
【図面の簡単な説明】
【００１９】
【図１】従来の電波吸収体の一例を示す斜視図である。
【図２】従来の電波吸収体の他の一例を示す斜視図である。
【図３】Ａは本発明の一実施形態による電波吸収体１０の斜視図であり、Ｂはその底面図である。
【図４】Ａ〜Ｃは、図１の従来の電波吸収体について斜入射波β1に対する吸収性能を説明する図である。
【図５】従来の電波吸収体を用いた電波暗室の模式図である。
【図６】Ａ〜Ｄは、本発明の一実施形態による電波吸収体１０について斜入射波β1に対する吸収性能を説明する図である。
【図７】Ａ、Ｂは、本発明の一実施形態による電波吸収体１０を複数配置した場合の効果を説明する図である。
【図８】Ａ、Ｂは、図１の従来の電波吸収体を複数列配置した場合の課題を説明する図である。
【図９】Ａ、Ｂは、本発明の一実施形態による電波吸収体１０を複数列配置した場合の効果を説明する図である。
【図１０】本発明の他の実施形態による電波吸収体１００の斜視図である。
【図１１】本発明のさらに他の実施形態による電波吸収体１１０の斜視図である。
【図１２】本発明のさらに他の実施形態による電波吸収体１２０の斜視図である。
【図１３】Ａ、Ｂは、本発明のさらに他の実施形態による電波吸収体１３０を説明する図である。
【図１４】Ａ、Ｂは、電波吸収体１１０、１２０、１３０の複合体について説明する図である。
【図１５】本発明のさらに他の実施形態による電波吸収体２００の斜視図である。
【図１６】本発明のさらに他の実施形態による電波吸収体２１０を説明する図である。
【図１７】本発明の電波吸収体の底面図である。
【発明を実施するための形態】
【００２０】
以下、本発明に係る電波吸収体について、その実施形態を例示して説明する。
図３に、本発明の一実施形態に係る電波吸収体１０の構造を示す。図３Ａは、電波吸収体１０の斜視図であり、図３Ｂは、電波吸収体１０の底面図である。この電波吸収体１０は、損失材料からなる、六角形の底面１を有する１つ以上（図示では１つ）の六角錐体を具える。
本発明の電波吸収体は、六角錐であるところに特徴を有し、この六角錐とする理由について、従来の四角錐の電波吸収体と比較しながら以下に説明する。
【００２１】
図４Ａは、図１に示す、従来の電波吸収体を構成する四角錐体４０の斜視図であり、図４Ｂはその平面図である。図中の矢印αは、四角錐体４０の先端４４から底面に向かって入射される入射波、すなわち図中のＺ軸方向に沿う垂直入射波αであり、矢印β1は、四角錐体４０の側面４３に向かう斜入射波β1である。
【００２２】
また、図４Ｃには、四角錐体４０について、図中Ｚ軸方向の、空気に対するインピーダンスの変化量を模式的に示している。ここでは、薄色から濃色に向かってインピーダンスの変化量が大きくなることを示している。インピーダンスの大きさは、電波吸収体の体積に準拠するので、図４Ｃに示すように、多角錐体の側面の投影形状が三角形の場合、インピーダンスの変化量は頂点から底辺に向かって増大する傾向にある。従って、垂直入射波αにおいては、空気に対するインピーダンスの変化量が最も小さい部分、すなわち四角錐体の先端４４から該インピーダンスが大きい方へと電波が向かうことになるため、良好な吸収性能が得られる。その一方で、斜入射波β1においては、空気に対するインピーダンスの変化量が大きい四角錐体４０の中腹部に入射されることになるため、インピーダンスの急激な変化によって電波が反射してしまい、十分な吸収性能を得難い。
【００２３】
すなわち、四角錐体４０に吸収されなかった斜入射波β1の一部は、図４Ａに示すように入射側に反射され、反射波γ1が生じる。ここに、四角錐体４０からなる電波吸収体を、小型化した電波暗室の床面、壁面及び天井面等に敷き詰めた例を図５に模式的に示す。小型化した電波暗室では、例えば、送信アンテナから受信アンテナへ向けて発信された電波の一部が、電波吸収体に対して斜めに入射される機会が増加する。この場合、送信アンテナから発信された電波が四角錐体の側面で反射して反射波γ1が生じ、該反射波γ1が、再度、他の四角錐体の壁面等にて反射して反射波γ2が生じる、といったように複数回の反射（図５の例では２回）を経て、反射波が受信アンテナ側に到達する結果、送信アンテナからの直接波のみを測定することができない。
【００２４】
一方、図６Ａは、本発明の一実施形態に係る、六角錐の電波吸収体１０の斜視図であり、図６Ｂはその平面図である。本発明の電波吸収体１０は、上記の斜入射波β1の入射を受ける側に、従来の四角錐体よりも多くの辺５を有するため、斜入射波β1に対する吸収性能を高めることができる。その理由を、図６Ｃを用いて以下に説明する。
【００２５】
図６Ｃは、図６ＡのＡ−Ａ線で切断した断面における、Ｚ軸及びＸ軸に沿う、六角錐体の空気に対するインピーダンスの変化量を模式的に示した図である。ここでは、図４Ｃと同様に、薄色から濃色に向かって、インピーダンスの変化量が大きいことを示している。六角錐体の辺５はエッジであり、先端４と同様に損失材料の体積が比較的小さく、空気に対するインピーダンスの変化量も小さい。そのため、辺５に入射された斜入射波β1は、先端４に垂直入射波αが入射された場合と同様に、空気のインピーダンスに最も近い部分、すなわち六角錐体の辺５側から、空気に対するインピーダンスの変化量が大きい方へと電波が向かうことになる。そのため、本実施形態に係る電波吸収体１０では、従来と比較して、斜入射波β1に対する吸収性能を格段に向上させることができる。
【００２６】
なお、上記したインピーダンスに関する作用及び効果は、単に、六角錐体の辺５に入射される斜入射波β1に限られるものではなく、例えば、六角錐体の側面３に入射される斜入射波β2（図６Ｂ、図６Ｄ参照）においても同様のことが言える。すなわち、図６Ｄに、図６ＡのＢ−Ｂ線で切断した断面における、Ｚ軸及びＸ軸に沿う六角錐体の空気に対するインピーダンスの変化量を模式的に示すように、この場合においても、側面３の外表面側における空気に対するインピーダンスの変化は、四角錐体４０の側面４３に比べて緩やかになるため、電波の反射を低減することができる。従って、本実施形態に係る電波吸収体１０では、六角錐体の辺５に斜入射波β1が入射される場合と同様に、側面３に入射される斜入射波β2に対しても良好な吸収性能が得られる。
【００２７】
さらに、本実施形態に係る電波吸収体１０においては、該電波吸収体１０を複数個並べて用いる場合に、吸収性能をより高めることができる。
例えば、図７Ａでは、上記の電波吸収体１０を複数個（図示例では３つ）、各六角錐体の底辺２（図３Ａ、３Ｂ参照）の一辺を隣接させて直列に配置している。この配置では、配置の長手方向（図中のＹ軸方向）に、３つの六角錐体の６つの側面３によって、凹凸面が連続的に形成されている。このように、電波の入射方向に面して形成された凹凸面では、入射波β1の反射波γ1を電波吸収体１０の側面３間で散乱させて、周囲の電波吸収体にて吸収することができる。具体的には、図７中の電波吸収体１０ｂに入射された入射波β1の反射波γ1は、電波吸収体１０ｂに隣接する電波吸収体１０ａ及び１０ｃにて吸収することも可能であるため、電波の吸収性能を高めることができる。なお、図７Ａ、図７Ｂに図示した、入射波及び反射波を示す線等は、いずれも一例である。
【００２８】
一方、図示はしないが、従来の四角錐体４０を３つ、それぞれの底辺を隣接させて直列に配置した場合、電波の入射面が一様な平面となるため、ある四角錐体における反射波γ1を、隣接する他の電波吸収体によっては吸収することはできない。
【００２９】
なお、図７Ｂに示すように、例えば、上記の電波吸収体１０を３つ、それぞれの底面１の頂点のみを接して直列に配置してもよい。この場合、反射波γ1の吸収効果は図７Ａに示す形態とした場合に比べて劣るが、従来の四角錐体４０を直列に配置した場合よりも優れる。
【００３０】
さらに、３つ以上の電波吸収体１０を２列以上に配置して用いる場合に、電波の吸収性能をさらに高めることができる。
従来、電波暗室内では、あらゆる方向からの電波が電波吸収体に入射される。このとき、図８Ａに示すように、２列に並べた電波吸収体の各々が四角錐体である場合、隣接する四角錐体間に形成される、損失材料の厚みがゼロとなる谷部Ｖに入射された電波は反射され易い。これに対して、３つ以上の六角錐体の電波吸収体１０を２列以上に配置して用いた場合においては、当該谷部Ｖにおける電波の反射を抑制することができるからである。
【００３１】
ここに、図８を用いて、Ｘ軸方向に沿う斜入射波β1と、Ｘ軸方向に対して４５°傾斜する斜入射波β2とを例にとって、谷部Ｖにおける反射について説明する。
まず、図８Ａに示すように、４つの四角錐体４０を、２つずつ２列に配置した形態では、斜入射波β2の入射方向には谷部Ｖが存在しない一方で、斜入射波β1の入射方向に谷部Ｖが連続する。この場合、斜入射波β1は谷部Ｖを通り抜けるか、又は損失材料の厚みがゼロである谷部Ｖにて反射するため、電波吸収が非効率である。また、図８Ｂに示すように、斜入射波β1の入射方向に谷部Ｖが配置されないように、四角錐体４０の上記配置を４５°回転させると、今度は斜入射波β2の入射方向に谷部Ｖが連続して、斜入射波β2の電波吸収が非効率になる。すなわち、従来の四角錐体４０を複数列配置すると、図８に示すように、必ず２方向に広幅の谷部Ｖが連続して形成されることになる。
【００３２】
一方、図９Ａに示すように、３つの六角錐体を、辺２を隣接させて２列に配置した形態では、斜入射波β1及びβ2のいずれの入射方向にも谷部が連続して形成されることはない。斜入射波β1が電波吸収体１０ｄと１０ｅとの間に入射されたとしても、これらに隣接して配置される電波吸収体１０ｆによって吸収することができる。また、図９Ｂに示すように、上記の形態を４５°回転させた形態においても同様のことが言える。
【００３３】
このように、本実施形態に係る電波吸収体１０の３つ以上を２列以上に配置して用いると、３６０°にわたって谷部Ｖが連続する部分を有しないため、電波吸収を効率化し、電波の吸収性能をさらに高めることができる。
なお、適宜、六角錐体の高さＨ10（図３Ａ参照）が列相互に異なるように配置してもよい。また、六角錐体の高さＨ10が同心円状に異なり、且つ円の中心にて最も高くなるように配置してもよい。電波暗室の規模や形状に合わせて、六角錐体の高さＨ10を適宜調整することで、電波吸収性能をより高めることができる。
【００３４】
以上、本発明の一実施形態に係る、六角錐体である電波吸収体１０の作用及び効果について説明してきた。このように、単に１つの多角錐体について考慮するならば、例えば、七角錐体や八角錐体などの六角錐体以外を適用した場合であっても、六角錐体と同様の効果を期待することができる。しかしながら、実際の電波暗室では、複数の多角錐体を隙間なく敷き詰めて設置する必要があり、隙間なく設置できる多角錐としては六角錐体が最も適切である。
また、多角錐体の頂点の数が増えると、該頂点における多角錐体の内角が大きくなり、円錐形に近づくことになる。この場合、辺５におけるインピーダンスの減衰効果が低減することからも、六角錐体が最も適切である。
【００３５】
なお、本発明の六角錐体の底面１の形状は、凸六角形であることが好ましい。
凸六角形とは、図３Ｂを参照して、すべての内角θが１８０°未満である六角形であり、より厳密には、六角形をなすいずれの辺を延長しても、その延長線が六角形の内側には延在しない六角形を言う。この場合、電波吸収の効果を向上させることができる。
【００３６】
さらに、図１０は、本発明の他の実施形態に係る電波吸収体１００である。本実施形態の電波吸収体１００は、以上に説明した六角錐体からなる電波吸収体１０の底面１に、該底面１と同一形状の底面を有する損失材料からなる六角柱体１２を連結してなる、１つ以上（図示例では１つ）の複合体Ｐを具える。
この構成によれば、吸収体の谷部Ｖにおいても、損失材料の厚みがゼロにならないことから吸収性能が向上する。
【００３７】
なお、複合体Ｐを具える電波吸収体１００もまた、その複数個を直列に並べて用いることや、その３つ以上を２列以上に配置して用いることができ、この場合、上記の電波吸収体１０と同様に、電波の吸収性能をより高めることができる。
【００３８】
また、本発明のさらに他の実施形態に係る電波吸収体は、複合体Ｐの複数個を、該複合体Ｐを構成する六角柱体１２の高さＨ12を列相互に異にして配列してなる。例えば、図１１に示す電波吸収体１１０では、複数個の複合体Ｐを、Ｘ軸方向に沿って３列に配置しているが、列Ｓ1〜Ｓ3毎に六角柱体１２の高さＨ12を異にしている。より具体的には、最前列Ｓ1に配置された複合体Ｐ1の六角柱体１２の高さＨ12が最も低く、最後列Ｓ3に配置された複合体Ｐ3の高さＨ12が最も高い。
【００３９】
このように、六角柱体１２の高さＨ12が最も低い列Ｓ1の背後に六角柱状体１２の高さＨ12が高い列Ｓ2およびＳ3を有すると、列Ｓ1の背後に入射波を遮蔽する壁が形成されることになるため、さらに効率的な吸収性能を得ることができる。
なお、図１１に示した、複数個の複合体Ｐを２列以上に配置してなる電波吸収体１１０に、上記の六角錐体のみからなる電波吸収体１０を組み合わせてもよい。例えば、図１２に示す電波吸収体１２０では、六角錐体１０と複合体ＰとをＸ軸方向に沿って３列（Ｓ1〜Ｓ3）に配置しているが、最前列Ｓ1に六角錐体１０を、最後列Ｓ3に複合体Ｐ3を、中間列Ｓ2に複合体Ｐ3よりも高さの低い複合体Ｐ2を配置している。
【００４０】
また、さらに他の実施形態では、図１３Ａを参照して説明するように、六角柱体１２の高さＨ12が列毎に異なる形態（例えば、図１１、図１２）を繰り返し用いることもできる。この電波吸収体１３０では、列Ｓ1から列Ｓ4に向かって六角柱体１２の高さＨ12を高くし、Ｓ4からＳ7に向かって六角柱状体１２の高さＨ12を再び低くしてなる配置を繰り返している。この構成によれば、図１３Ｂに示すように、遮蔽壁として機能する最も高い複合体Ｐ4、Ｐ10にて反射された反射波γ1（図１３の例ではＰ10にて反射されている）は、手前（紙面左側）の低い複合体Ｐ6またはＰ5にて吸収されるため、斜入射波βに対し、より効率的な吸収性能を得ることができる。
【００４１】
なお、図１３の列Ｓ4又はＳ10の複合体によって形成される遮蔽壁は、図１４Ｂのようになる。これは、電波の入射方向に対してウエッジ形状であり、インピーダンスが緩やかに変化するとともに、隣接する六角錐体１０への電波の散乱を可能にするため、優れた吸収性能を得ることができる。
仮に、四角錐体４０に、該四角錐体４０の底面と同一形状の底面を有する損失材料からなる四角柱体４２を連結した複合体を構成すると、図１４Ａのようになる。すなわち、四角柱体４２により形成される遮蔽壁は平面であり、この場合のインピーダンスの変化は急激であるため、良好な吸収性能は得られない。
【００４２】
また、図１５に示すように、本発明のさらに他の実施形態では、六角柱体１２の高さＨ12が同心円状に異なり、且つ円の中心にて最も高くなるように、複合体Ｐを配列することもできる。例えば、この電波吸収体２００では、六角柱体１２の高さＨ12が最も高い複合体Ｐ1を中心として、該複合体Ｐ1の外側に半円を描くように、複合体Ｐ2を配置し、該複合体Ｐ2の外側に、Ｐ2よりもさらに低い複合体Ｐ3を配置している。
【００４３】
かかる構成によれば、複合体Ｐの六角柱体１２の高さＨ12を、列毎に、段階的に異ならせた場合（図１２〜１４参照）と同様に、高さの低い複合体Ｐの背後に入射波を遮蔽する壁が形成されることになるため、電波の吸収性能の向上が期待できる。
【００４４】
また、図１６を参照して説明する、さらに他の実施形態に係る電波吸収体２１０では、六角柱体１２の高さＨ12が最も高い複合体Ｐ1を中心として、円を一周描くように、同心円Ｃ1〜Ｃ3ごとに六角柱状体１２の高さＨ12を異にして配置している。
【００４５】
かかる構成によれば、複合体Ｐの六角柱体１２の高さＨ12（図中、黒、ハッチング、白色の順で複合体Ｐ又は六角錐体の高さが高い）を列毎に異ならせた場合と同様に、高さの低い複合体Ｐの背後に入射波を遮蔽する壁が形成されることになるため、電波の吸収性能の向上が期待できる。本実施形態では、高さＨ12を同心円状に異ならせることで、３６０°にわたって上記遮蔽壁の効果が得られる。
また、図１６に示すように、かかる電波吸収体２１０を隣接して複数組み合わせて配置してもよい。
【００４６】
なお、図面の記載からも明らかであるように、本発明の電波吸収体は六角形状の底面を有するため、実際の電波暗室での使用に際して、他の多角形を介在させることなく、隙間なく敷き詰めて設置することができる。例えば、底面が七角形状又は八角形状の電波吸収体では、四角形などの他の図形を介在させない限り、隙間なく敷き詰めることはできない。このように、電波吸収体を効率よく敷き詰める観点からすれば、該電波吸収体の底面を、正六角形とすることが好ましい。
また、複数の電波吸収体の一部又は全体を一体成形することによって、実際の電波暗室に電波吸収体を配設する作業を簡略化できる。
【００４７】
また、図１７に示すように、六角錐体からなる電波吸収体の底面を形成する六角形は、少なくとも１組の対向する辺ａ同士が平行且つ同じ長さであり、当該辺ａの長さｘと、該辺ａに隣接する辺ｂの一方の端点ｂｅ１から他方の端点ｂｅ２までの辺ａに沿う長さＬ（辺ｂを、辺ａに沿う方向に投影した長さＬ）と、がｘ≦Ｌ≦２．０ｘの関係を満たすことが肝要である。
【００４８】
Ｌ≧０．５ｘであれば、Ｘ軸方向に関して十分に緩やかなインピーダンス変化が得られ、Ｌ≦２．０ｘであれば、ＴＥ波とＴＭ波の性能に大きな異方性を生じさせない。
【００４９】
なお、本発明の電波吸収体をなす損失材料は、内部で電波を損失する材料であれば、例えば、カーボン等の導電材料を含有したプラスチック又はセラミック等の誘電損失材料や、フェライト等の磁性材料を含有したプラスチック又はセラミック等の磁性損失材料を用いることができる。
【実施例】
【００５０】
以下、本発明の実施例について説明する。
図３、図１０、図１３に示す、本実施形態の電波吸収体における吸収性能を評価した。損失材料には、カーボンを含有した発泡ポリプロピレン樹脂を使用した。試験周波数は３ＧＨｚとし、入射角（多角錐体の底面の法線に対する角度）は６０°とした。偏波はＴＥ波とＴＭ波とした。【００５１】
発明例１は、図３に示す実施形態に従うものである。六角錐体の高さを６０ｃｍとし、底面の形状は、図１７においてｘ＝５ｃｍ、Ｌ＝ｘの変形六角形とした。
発明例２は、図１０に示す実施形態に従うものである。六角錐部の高さを６０ｃｍとし、六角柱状体の高さを１０ｃｍとした。なお、六角錐部及び六角柱状体の底面の形状は、発明例１と同様である。
発明例３は、図１３に示す実施形態に従うものである。六角錐部の高さを６０ｃｍとし、六角柱状体の高さを、０ｃｍ、１０ｃｍ、２０ｃｍ、３０ｃｍ、２０ｃｍ、１０ｃｍ、０ｃｍと階段状に変化させた。なお、六角錐部及び六角柱状体の底面の形状は、発明例１と同様である。
比較例３は、六角錐部の底面の形状が、ｘ＝５ｃｍ、Ｌ＝２ｃｍであること以外は、発明例１と同様である。
比較例４は、六角錐体の底面の形状が、ｘ＝５ｃｍ、Ｌ＝１２ｃｍであること以外は、発明例１と同様である。
【００５２】
比較例１は、１辺が１０ｃｍ、高さ６０ｃｍの四角錐体としたこと以外は、発明例１と同様である。
比較例２は、１辺が１０ｃｍ、高さ６０ｃｍの四角錐体及び高さ１０ｃｍの四角柱体としたこと以外は、発明例２と同様である。【００５３】
（電波吸収性能）
電波吸収性能に関しては、アーチ法により評価を行った。
なお、数値の大きい方が、電波の吸収性能に優れていることを意味する。【００５４】
【表１】
0005855800.tif 000002
【００５５】
以上の試験により、本実施例による電波吸収体では、従来の電波吸収体と比較して１〜１０ｄＢの吸収性能の向上が見られた。
【符号の説明】
【００５６】
１        底面
２        底面の辺
３、４３  側面
４、４４  頂点
５、４５  側面の辺
１０      六角錐体
１２      六角柱体
４０      四角錐体
４２      四角柱体
１０、１００、１１０、１２０、１３０、２００、２１０  電波吸収体
Ｐ        複合体
【図１】
0005855800.tif 000003
【図２】
0005855800.tif 000004
【図３】
0005855800.tif 000005
【図４】
0005855800.tif 000006
【図５】
0005855800.tif 000007
【図６】
0005855800.tif 000008
【図７】
0005855800.tif 000009
【図８】
0005855800.tif 000010
【図９】
0005855800.tif 000011
【図１０】
0005855800.tif 000012
【図１１】
0005855800.tif 000013
【図１２】
0005855800.tif 000014
【図１３】
0005855800.tif 000015
【図１４】
0005855800.tif 000016
【図１５】
0005855800.tif 000017
【図１６】
0005855800.tif 000018
【図１７】
0005855800.tif 000019